(57)【要約】【課題】タインのバネ部に作物が巻き付き難い収穫機が要望されている。【解決手段】タイン３１に、支持部材１８に支持される支持部３１ａと、支持部材１８の下方に位置するバネ部３１ｂと、バネ部３１ｂから垂れ下がる状態で設けられ、植立作物に掻込作用する作用部３１ｃと、が備えられている。支持部材１８の外周部に嵌合する嵌合部３６と、バネ部３１ｂの後方を通って下方に向けて延ばされ、バネ部３１ｂを後方から覆うカバー部３７と、を有するカバー部材３５が備えられている。【選択図】図８
2020178601.tif 000002
【特許請求の範囲】
【請求項１】
植立作物を掻き込みながら刈り取る刈取部が備えられ、
前記刈取部に、植立作物を掻き込む掻込リールが備えられている収穫機であって、
前記掻込リールに、機体左右方向に沿って延びる回転軸心周りで回転駆動される左右のリールフレームと、前記左右のリールフレームに亘って複数設けられ、機体左右方向に沿って延びる棒状の支持部材と、前記支持部材に機体左右方向に間隔をあけて取り付けられる複数のタインと、が備えられ、
前記タインに、前記支持部材に支持される支持部と、前記支持部材の下方に位置するバネ部と、前記バネ部から垂れ下がる状態で設けられ、植立作物に掻込作用する作用部と、が備えられ、
前記支持部材の外周部に嵌合する嵌合部と、前記バネ部の後方を通って下方に向けて延ばされ、前記バネ部を後方から覆うカバー部と、を有するカバー部材が備えられている収穫機。
【請求項２】
前記支持部は、前記支持部材の外周部にボルトによって固定され、
前記カバー部材に、前記嵌合部と連続して設けられ、前記ボルトの頭部を覆う部分が備えられている請求項１に記載の収穫機。
【請求項３】
前記タインは、前記支持部材の後方を通って前記バネ部に至る形状に形成されており、
前記嵌合部は、前記支持部材の外周部の前部に嵌合し、
前記カバー部は、前記タインの後部に接触する状態で下方に向けて延ばされている請求項１又は２に記載の収穫機。
【請求項４】
前記カバー部は、前記バネ部の後部に接触する状態で前記バネ部の下端よりも下側の高さ位置まで下方に向けて延ばされている請求項３に記載の収穫機。
【請求項５】
前記カバー部は、前記嵌合部の下端よりも下側の高さ位置まで下方に向けて延ばされており、
前記カバー部のうち前記嵌合部の下端よりも下側に位置する下側部分を支持する支持ブラケットが備えられている請求項３又は４に記載の収穫機。
【請求項６】
前記支持部は、前記支持部材の外周部にボルトによって固定され、
前記支持ブラケットは、前記支持部と共に前記支持部材の外周部に前記ボルトによって固定されている請求項５に記載の収穫機。
【請求項７】
前記カバー部材に、第一係合部が備えられ、かつ、前記支持ブラケットに、第二係合部が備えられ、
前記第一係合部と前記第二係合部とが係合した状態で、前記支持ブラケットが前記支持部材の外周部に前記ボルトによって固定されている請求項６に記載の収穫機。
【請求項８】
前記支持ブラケットに、前記支持部材の断面視で前記嵌合部を前記支持部材とは反対側から押さえる押さえ部が備えられている請求項５から７の何れか一項に記載の収穫機。
【請求項９】
前記カバー部材は、複数の前記タインを覆う長尺部材であり、
前記カバー部材のうち左右両側における前記下側部分が夫々前記支持ブラケットに支持されている請求項５から８の何れか一項に記載の収穫機。
【請求項１０】
前記タインに、一の前記支持部と、前記一の支持部に対して左右に振り分け配置される左右の前記バネ部と、前記左右のバネ部の夫々に対応する左右の前記作用部と、が備えられている請求項１から９の何れか一項に記載の収穫機。
【請求項１１】
前記カバー部を支持する支持ブラケットが、前記左右のバネ部の間で前記支持部材に取り付けられている請求項１０に記載の収穫機。
【請求項１２】
前記バネ部は、前記支持部材の前下方に位置し、
前記カバー部は、側面視で前記バネ部の後部に沿って前下がりに傾斜している請求項１から１１の何れか一項に記載の収穫機。
【発明の詳細な説明】
【技術分野】
【０００１】
本発明は、収穫機に関する。
【背景技術】
【０００２】
従来、収穫機として、例えば、特許文献１に記載の収穫機が知られている。特許文献１に記載の収穫機には、植立作物を掻き込みながら刈り取る刈取部（文献では「刈取部〔３〕」）が備えられ、刈取部に、植立作物を掻き込む掻込リール（文献では「掻込みリール〔１２〕」）が備えられている収穫機が開示されている。掻込リールには、機体左右方向に沿って延びる回転軸心（文献では「軸心〔Ｘ１〕」）周りで回転駆動される左右のリールフレーム（文献では「リールフレーム〔１９〕」）と、左右のリールフレームに亘って複数設けられ、機体左右方向に沿って延びる棒状の支持部材（文献では「支持フレーム〔２０〕」）と、支持部材に機体左右方向に間隔をあけて取り付けられる複数のタイン（文献では「タイン〔２２〕」）と、が備えられている。タインには、支持部材に支持される支持部（文献では「取付部〔３５〕」）と、支持部材の下方に位置するバネ部（文献では「コイル部〔３３〕」）と、バネ部から垂れ下がる状態で設けられ、植立作物に掻込作用する作用部（文献では「作用部〔３２〕」）と、が備えている。
【先行技術文献】
【特許文献】
【０００３】
【特許文献１】特開２０１３−１１０９８３号公報
【発明の概要】
【発明が解決しようとする課題】
【０００４】
特許文献１に記載の収穫機では、タインが植立作物に前方から掻込作用して植立作物が掻き込まれることになる。その際、植立作物がバネ部に後方から接触してバネ部に作物が巻き付き易い。
【０００５】
上記状況に鑑み、タインのバネ部に作物が巻き付き難い収穫機が要望されている。
【課題を解決するための手段】
【０００６】
本発明の特徴は、植立作物を掻き込みながら刈り取る刈取部が備えられ、前記刈取部に、植立作物を掻き込む掻込リールが備えられている収穫機であって、前記掻込リールに、機体左右方向に沿って延びる回転軸心周りで回転駆動される左右のリールフレームと、前記左右のリールフレームに亘って複数設けられ、機体左右方向に沿って延びる棒状の支持部材と、前記支持部材に機体左右方向に間隔をあけて取り付けられる複数のタインと、が備えられ、前記タインに、前記支持部材に支持される支持部と、前記支持部材の下方に位置するバネ部と、前記バネ部から垂れ下がる状態で設けられ、植立作物に掻込作用する作用部と、が備えられ、前記支持部材の外周部に嵌合する嵌合部と、前記バネ部の後方を通って下方に向けて延ばされ、前記バネ部を後方から覆うカバー部と、を有するカバー部材が備えられていることにある。
【０００７】
本特徴構成によれば、バネ部がカバー部に後方から覆われているため、タインが植立作物を掻き込む際に、植立作物がバネ部に後方から接触することがない。したがって、バネ部に作物が巻き付き難い。また、カバー部材は、嵌合部が支持部材の外周部に嵌合した状態で支持部材に取り付けられることになる。これにより、カバー部材を支持部材にしっかりと取り付けることができる。
【０００８】
さらに、本発明において、前記支持部は、前記支持部材の外周部にボルトによって固定され、前記カバー部材に、前記嵌合部と連続して設けられ、前記ボルトの頭部を覆う部分が備えられていると好適である。
【０００９】
本特徴構成によれば、ボルトの頭部がカバー部材のうち嵌合部と連続する部分に覆われているため、ボルトの頭部に作物が巻き付き難い。
【００１０】
さらに、本発明において、前記タインは、前記支持部材の後方を通って前記バネ部に至る形状に形成されており、前記嵌合部は、前記支持部材の外周部の前部に嵌合し、前記カバー部は、前記タインの後部に接触する状態で下方に向けて延ばされていると好適である。
【００１１】
本特徴構成によれば、嵌合部を、支持部材の後方を通るタインを避けて支持部材の外周部に上手く嵌合させることができる。また、カバー部がタインの後部に接触する状態で下方に向けて延ばされていることにより、カバー部をタインの後部でしっかりと支持すると共に、カバー部とタインの後部との隙間を小さくして、バネ部に巻き付く原因となる作物が当該隙間から入り込むのを防止することができる。
【００１２】
さらに、本発明において、前記カバー部は、前記バネ部の後部に接触する状態で前記バネ部の下端よりも下側の高さ位置まで下方に向けて延ばされていると好適である。
【００１３】
本特徴構成によれば、カバー部をバネ部の後部でしっかりと支持すると共に、カバー部とバネ部の後部との隙間を小さくして、バネ部に巻き付く原因となる作物が当該隙間から入り込むのを効果的に防止することができる。また、カバー部のうちバネ部の下端よりも下側に位置する部分によって、バネ部に下方から巻き付こうとする作物からバネ部を保護することができる。
【００１４】
さらに、本発明において、前記カバー部は、前記嵌合部の下端よりも下側の高さ位置まで下方に向けて延ばされており、前記カバー部のうち前記嵌合部の下端よりも下側に位置する下側部分を支持する支持ブラケットが備えられていると好適である。
【００１５】
本特徴構成によれば、カバー部材のうち支持部材に取り付けられている部分（嵌合部分）から離れている部分（カバー部の下側部分）を、支持ブラケットでしっかりと支持することができる。
【００１６】
さらに、本発明において、前記支持部は、前記支持部材の外周部にボルトによって固定され、前記支持ブラケットは、前記支持部と共に前記支持部材の外周部に前記ボルトによって固定されていると好適である。
【００１７】
本特徴構成によれば、ボルトの共通化により、固定構造の簡素化を図ることができる。
【００１８】
さらに、本発明において、前記カバー部材に、第一係合部が備えられ、かつ、前記支持ブラケットに、第二係合部が備えられ、前記第一係合部と前記第二係合部とが係合した状態で、前記支持ブラケットが前記支持部材の外周部に前記ボルトによって固定されていると好適である。
【００１９】
本特徴構成によれば、カバー部材が支持部材から外れないように、カバー部材を支持ブラケットを介して支持部材にしっかりと取り付けることができる。
【００２０】
さらに、本発明において、前記支持ブラケットに、前記支持部材の断面視で前記嵌合部を前記支持部材とは反対側から押さえる押さえ部が備えられていると好適である。
【００２１】
本特徴構成によれば、嵌合部が支持部材の外周部から外れないように、嵌合部を押さえ部でしっかりと保持することができる。
【００２２】
さらに、本発明において、前記カバー部材は、複数の前記タインを覆う長尺部材であり、前記カバー部材のうち左右両側における前記下側部分が夫々前記支持ブラケットに支持されていると好適である。
【００２３】
本特徴構成によれば、カバー部の下側部分を左右のバランス良く支持することができる。
【００２４】
さらに、本発明において、前記タインに、一の前記支持部と、前記一の支持部に対して左右に振り分け配置される左右の前記バネ部と、前記左右のバネ部の夫々に対応する左右の前記作用部と、が備えられていると好適である。
【００２５】
本特徴構成によれば、左側のバネ部及び左側の作用部と右側のバネ部及び右側の作用部とで、支持部が共通化されることになる。これにより、タインに係る部品点数を削減することができ、かつ、タインの軽量化を図ることができる。
【００２６】
さらに、本発明において、前記カバー部を支持する支持ブラケットが、前記左右のバネ部の間で前記支持部材に取り付けられていると好適である。
【００２７】
本特徴構成によれば、左右のバネ部の間のスペースを利用して支持ブラケットを設置することができる。
【００２８】
さらに、本発明において、前記バネ部は、前記支持部材の前下方に位置し、前記カバー部は、側面視で前記バネ部の後部に沿って前下がりに傾斜していると好適である。
【００２９】
本特徴構成によれば、カバー部が支持部材の後部及びバネ部の後部に沿って傾斜していることになる。これにより、カバー部とバネ部の後部との隙間を小さくして、バネ部に巻き付く原因となる作物が当該隙間から入り込むのを防止することができる。
【図面の簡単な説明】
【００３０】
【図１】コンバインを示す右側面図である。
【図２】刈取部を示す平面図である。
【図３】掻込リールを示す右側面図である。
【図４】掻込リールを示す平面図である。
【図５】リールフレーム及び内側タインを示す右側面図である。
【図６】内側タイン及びカバー部材の取付構造を示す分解斜視図である。
【図７】内側タイン及びカバー部材を示す正面図である。
【図８】図７におけるＶＩＩＩ−ＶＩＩＩ断面図である。
【図９】図７におけるＩＸ−ＩＸ断面図である。
【発明を実施するための形態】
【００３１】
本発明を実施するための形態について、図面に基づき説明する。なお、以下の説明では、矢印Ｆ（図１及び図２参照）の方向を「機体前側」、矢印Ｂ（図１及び図２参照）の方向を「機体後側」、矢印Ｌ（図２参照）の方向を「機体左側」、矢印Ｒ（図２参照）の方向を「機体右側」とする。
【００３２】
〔コンバインの全体構成〕
図１には、全稈投入型コンバイン（本発明に係る「収穫機」に相当）を示している。本コンバインには、機体フレーム１と、クローラ走行装置２と、が備えられている。機体の前方には、植立穀稈を掻き込みながら刈り取る刈取部３が設けられている。刈取部３には、植立穀稈を掻き込む掻込リール４と、植立穀稈を切断する刈刃５と、刈取穀稈を掻き込む掻込オーガ６と、これらを支持する刈取フレーム７と、が備えられている。刈取フレーム７の左右両側部における前端部には、夫々、植立穀稈を分草するデバイダ８が設けられている
【００３３】
機体の前部には、運転部９が設けられている。刈取穀稈の全稈を脱穀処理する脱穀装置１０が設けられている。刈取部３と脱穀装置１０とに亘って、刈取穀稈を脱穀装置１０に向けて搬送するフィーダ１１が設けられている。フィーダ１１は、脱穀装置１０の前部に上下揺動可能に支持されている。フィーダ１１と機体フレーム１とに亘って、フィーダ１１を上下揺動させるための油圧シリンダ１２が設けられている。脱穀装置１０の右方には、脱穀装置１０の脱穀処理によって得られた穀粒を貯留する穀粒タンク１３が設けられている。穀粒タンク１３内の穀粒を排出する穀粒排出装置１４が設けられている。
【００３４】
〔掻込リール〕
図２から図５に示すように、掻込リール４には、左右の支持アーム１５と、掻込リール駆動軸１６と、左右のリールフレーム１７と、複数の支持バー１８（本発明に係る「支持部材」に相当）と、複数のタイン１９と、タイン姿勢保持機構２０と、が備えられている。
【００３５】
左右の支持アーム１５の基端部に亘って、左右の支持アーム１５の基端部を連結する連結軸２１が設けられている。左右の支持アーム１５は、連結軸２１を介して刈取フレーム７の後部に上下揺動可能に支持されている。左右の支持アーム１５の先端部に亘って、掻込リール４を掻込駆動するための動力が入力される掻込リール駆動軸１６が設けられている。掻込リール駆動軸１６の右端部には、掻込リール駆動軸１６に動力を伝達するベルト伝動機構２２が連係されている。左側の支持アーム１５と刈取フレーム７の左側部とに亘って及び右側の支持アーム１５と刈取フレーム７の右側部とに亘って、夫々、支持アーム１５を上下揺動させるための油圧シリンダ２３（図１参照）が設けられている。
【００３６】
左右のリールフレーム１７は、機体左右方向に沿って延びる回転軸心Ｘ１周りで矢印Ａの方向に回転駆動される。左側のリールフレーム１７は、掻込リール駆動軸１６の左端部に支持されている。右側のリールフレーム１７は、掻込リール駆動軸１６の右端部に支持されている。リールフレーム１７は、側面視で略五角形状に形成されている。リールフレーム１７には、五つのアーム部２４ａを有するフレーム本体２４と、五つのアーム部２４ａの先端部に亘って巻き回される帯状の板材２５と、が備えられている。
【００３７】
支持バー１８は、機体左右方向に沿って延びる丸棒状の支持部材である。支持バー１８は、左側のフレーム本体２４における五つのアーム部２４ａの先端部の夫々と右側のフレーム本体２４における五つのアーム部２４ａの先端部の夫々とに亘って設けられている。すなわち、支持バー１８は、左右のリールフレーム１７に亘って複数（本実施形態では、五本）設けられている。
【００３８】
タイン姿勢保持機構２０は、タイン１９を支持バー１８から下方に向かって延び出る姿勢に保持するものである。タイン姿勢保持機構２０には、回転軸心Ｘ１と平行な回転軸心Ｘ２周りで回転可能な補助リールフレーム２６と、補助リールフレーム２６と支持バー１８とを連係するリンク２７と、が備えられている。補助リールフレーム２６は、側面視で略五角形状に形成されている。補助リールフレーム２６には、五つのアーム部２８ａを有するフレーム本体２８と、五つのアーム部２８ａの先端部に亘って巻き回される帯状の板材２９と、が備えられている。フレーム本体２８における各アーム部２８ａの先端部と各支持バー１８とに亘って、リンク２７が設けられている。
【００３９】
補助リールフレーム２６が回転軸心Ｘ２周りで回転することにより、リンク２７を介して支持バー１８が回転操作されることになる。これにより、リールフレーム１７の回転にかかわらず、タイン１９が支持バー１８から下方に向かって延び出る姿勢に保持されることになる。
【００４０】
〔タイン〕
複数のタイン１９は、支持バー１８に機体左右方向に間隔をあけて取り付けられている。タイン１９として、支持バー１８の左右両端部に位置する複数の外側タイン３０と、外側タイン３０よりも横内側に位置する複数の内側タイン３１（本発明に係る「タイン」に相当）と、が備えられている。外側タイン３０は、内側タイン３１よりも外径の大きい丸棒材によって構成され、内側タイン３１よりも曲げ強度が高い。
【００４１】
図６から図９に示すように、内側タイン３１は、外側タイン３０よりも外径の小さい丸棒材によって構成され、外側タイン３０よりも曲げ強度が低い。内側タイン３１には、支持バー１８に支持される支持部３１ａと、支持バー１８の下方に位置するバネ部３１ｂと、バネ部３１ｂから垂れ下がる状態で設けられ、植立穀稈に掻込作用する作用部３１ｃと、支持部３１ａとバネ部３１ｂとに亘って延びる延設部３１ｄと、が備えられている。
【００４２】
本実施形態では、内側タイン３１には、一の支持部３１ａと、一の支持部３１ａに対して左右に振り分け配置される左右のバネ部３１ｂと、一の支持部３１ａと左側のバネ部３１ｂとに亘って延びる左側の延設部３１ｄと、一の支持部３１ａと右側のバネ部３１ｂとに亘って延びる右側の延設部３１ｄと、左側のバネ部３１ｂに対応する左側の作用部３１ｃと、右側のバネ部３１ｂに対応する右側の作用部３１ｃと、が備えられている。内側タイン３１は、その左右中心Ｃ１に対して左右対称な形状に形成されている。
【００４３】
支持部３１ａは、支持バー１８の上面に載置された状態で支持バー１８の外周部にボルト３２によって固定されている。支持部３１ａには、ボルト３２が上下方向に通過可能なように、後方に向かって開口する凹部が備えられている。支持バー１８には、ボルト３２が挿通される孔１８ａが形成されている。ボルト３２は、支持部３１ａの上方から孔１８ａに差し込まれている。ボルト３２のうち頭部３２ａと支持部３１ａとの間の部分には、平座金３３が外嵌されている。ボルト３２のうち支持バー１８から下方に向かって突出している部分には、ナット３４が取り付けられている。
【００４４】
本実施形態では、バネ部３１ｂは、支持バー１８に平行な軸心周りで三重巻きのバネ部によって構成されている。バネ部３１ｂは、支持バー１８の前下方に位置している。内側タイン３１は、支持バー１８の上方から支持バー１８の後方を通ってバネ部３１ｂに至る形状に形成されている。作用部３１ｃは、バネ部３１ｂから前下方に向かって延び出て後下方に向かって折れ曲がる形状に形成されている。延設部３１ｄは、支持部３１ａから支持バー１８の後方を通ってバネ部３１ｂに至る形状に形成されている。
【００４５】
〔カバー部材〕
図６から図９に示すように、支持バー１８には、カバー部材３５が取り付けられている。カバー部材３５は、複数のタイン１９を覆う単一の長尺部材によって構成されている。カバー部材３５は、支持バー１８の左右両端部に亘る左右長さ（具体的には、複数のタイン１９のうち最も左端に位置する外側タイン３０と最も右端に位置する外側タイン３０とに亘る左右長さ）を有している。カバー部材３５には、支持バー１８の外周部に嵌合する嵌合部３６と、バネ部３１ｂの後方を通って下方に向けて延ばされ、バネ部３１ｂを後方から覆う第一カバー部３７（本発明に係る「カバー部」に相当）と、嵌合部３６と連続して設けられ、ボルト３２の頭部３２ａを覆う第二カバー部３８（本発明に係る「ボルトの頭部を覆う部分」に相当）と、が備えられている。嵌合部３６、第一カバー部３７及び第二カバー部３８は、夫々、カバー部材３５の左右全長に亘って形成されている。
【００４６】
嵌合部３６は、支持バー１８の外周部の形状に沿う円弧形状に形成されている。嵌合部３６は、支持バー１８の外周部の前部に嵌合している。具体的には、嵌合部３６は、支持バー１８の外周部のうち孔１８ａよりも前側部分に嵌合している。嵌合部３６の上端部３６ａは、支持部３１ａの前端部と支持バー１８の外周部との隙間に入り込んでいる。嵌合部３６の下端部３６ｂは、ナット３４と支持バー１８の外周部との隙間に入り込んでいる。
【００４７】
第一カバー部３７は、内側タイン３１の後部に接触する状態で下方に向けて延ばされている。具体的には、第一カバー部３７は、バネ部３１ｂの後部及び延設部３１ｄの後部に接触する状態で、嵌合部３６の下端よりも下側でバネ部３１ｂの下端よりも下側の高さ位置まで下方に向けて延ばされている。第一カバー部３７は、側面視でバネ部３１ｂの後部及び延設部３１ｄの後部に沿って前下がりに傾斜している。
【００４８】
第二カバー部３８は、ボルト３２の頭部３２ａ及び支持部３１ａが露出しないように、ボルト３２の頭部３２ａ及び支持部３１ａを覆っている。第二カバー部３８は、嵌合部３６の上端部と第一カバー部３７の上端部とに亘って形成されている。
【００４９】
〔支持ブラケット〕
第一カバー部３７のうち嵌合部３６の下端よりも下側に位置する下側部分を支持する支持ブラケット３９が設けられている。支持ブラケット３９は、支持バー１８のうち左右両端側部分に夫々取り付けられている。すなわち、カバー部材３５のうち左右両側における前記下側部分が夫々支持ブラケット３９に支持されている。左側の支持ブラケット３９は、複数の内側タイン３１のうち最も左端に位置する内側タイン３１における左右のバネ部３１ｂの間で支持バー１８に取り付けられている。右側の支持ブラケット３９は、複数の内側タイン３１のうち最も右端に位置する内側タイン３１における左右のバネ部３１ｂの間で支持バー１８に取り付けられている。
【００５０】
支持ブラケット３９は、折り曲げ形成された板材によって構成されている。支持ブラケット３９には、取付部３９ａと、押さえ部３９ｂと、係合部３９ｃ（本発明に係る「第二係合部」に相当）と、が備えられている。
【００５１】
取付部３９ａには、ボルト３２が挿通される孔３９ｄが形成されている。ボルト３２のうち取付部３９ａから下方に向かって突出している部分には、ナット４０が取り付けられている。すなわち、支持ブラケット３９は、支持部３１ａと共に支持バー１８の外周部にボルト３２によって固定されている。
【００５２】
押さえ部３９ｂは、取付部３９ａの前端部から立ち上がる状態で設けられている。押さえ部３９ｂは、側面視（支持バー１８の断面視）で嵌合部３６を支持バー１８とは反対側（前側）から押さえている。押さえ部３９ｂの上端は、側面視で支持バー１８の中心Ｘ３よりも上側の高さ位置に位置している。
【００５３】
係合部３９ｃは、取付部３９ａの後端部から垂れ下がる状態で設けられている。ここで、カバー部材３５において、第一カバー部３７の内面部（バネ部３１ｂに対向する側の面部）には、カバー部材３５の左右全長に亘って係合部３７ａ（本発明に係る「第一係合部」に相当）が形成されている。係合部３７ａは、側面視で溝形状に形成されている。支持ブラケット３９の係合部３９ｃがカバー部材３５の係合部３７ａに差し込まれることにより、カバー部材３５の係合部３７ａと支持ブラケット３９の係合部３９ｃとが係合している。すなわち、カバー部材３５の係合部３７ａと支持ブラケット３９の係合部３９ｃとが係合した状態で、支持ブラケット３９が支持バー１８の外周部にボルト３２によって固定されている。
【００５４】
〔別実施形態〕
（１）上記実施形態では、内側タイン３１に、一の支持部３１ａと、左右のバネ部３１ｂと、左右の延設部３１ｄと、左右の作用部３１ｃと、が備えられている。しかし、内側タイン３１は、一の支持部３１ａと、一のバネ部３１ｂと、一の作用部３１ｃと、を備える構成であってもよい。
【００５５】
（２）上記実施形態では、バネ部３１ｂは、三重巻きのバネ部によって構成されている。しかし、バネ部３１ｂは、二重巻き又は一重巻きのバネ部によって構成されていてもよい。
【００５６】
（３）上記実施形態では、カバー部材３５に、第二カバー部３８が備えられている。しかし、カバー部材３５に、第二カバー部３８が備えられていなくてもよい。
【００５７】
（４）上記実施形態では、内側タイン３１は、支持バー１８の後方を通ってバネ部３１ｂに至る形状に形成されている。しかし、内側タイン３１は、支持バー１８の前方を通ってバネ部３１ｂに至る形状に形成されていてもよい。
【００５８】
（５）上記実施形態では、嵌合部３６は、支持バー１８の外周部の前部に嵌合している。しかし、嵌合部３６は、支持バー１８の外周部の後部、上部又は下部に嵌合していてもよい。
【００５９】
（６）上記実施形態では、第一カバー部３７は、内側タイン３１（バネ部３１ｂ）の後部に接触する状態で下方に向けて延ばされている。しかし、第一カバー部３７は、内側タイン３１（バネ部３１ｂ）の前部に接触する状態で下方に向けて延ばされていてもよい。
【００６０】
（７）上記実施形態では、第一カバー部３７は、バネ部３１ｂの下端よりも下側の高さ位置まで下方に向けて延ばされている。しかし、第一カバー部３７は、バネ部３１ｂの下端よりも下側の高さ位置まで下方に向けて延ばされていなくてもよい。例えば、第一カバー部３７は、バネ部３１ｂの下端よりも上側の高さ位置まで下方に向けて延ばされていてもよい。あるいは、第一カバー部３７は、バネ部３１ｂの下端と同じ高さ位置まで下方に向けて延ばされていてもよい。
【００６１】
（８）上記実施形態では、支持ブラケット３９は、内側タイン３１と共通のボルト３２によって支持バー１８の外周部に固定されている。しかし、支持ブラケット３９は、ボルト３２とは別のボルトによって支持バー１８の外周部に固定されていてもよい。
【００６２】
（９）上記実施形態では、支持ブラケット３９は、一の内側タイン３１における左右のバネ部３１ｂの間で支持バー１８に取り付けられている。しかし、支持ブラケット３９は、隣り合う内側タイン３１の間で支持バー１８に取り付けられていてもよい。
【００６３】
（１０）上記実施形態では、カバー部材３５の係合部３７ａと支持ブラケット３９の係合部３９ｃとが係合した状態で、支持ブラケット３９が支持バー１８の外周部にボルト３２によって固定されている。しかし、カバー部材３５及び支持ブラケット３９に、夫々、係合部３７ａ及び係合部３９ｃが備えられていなくてもよい。
【００６４】
（１１）上記実施形態では、支持ブラケット３９に、押さえ部３９ｂが備えられている。しかし、支持ブラケット３９に、押さえ部３９ｂが備えられていなくてもよい。この場合、例えば、カバー部材３５に、前後二分割のカバー部材をカバー部材３５の上方から被せて、当該カバー部材を前後方向に締め付けることにより、カバー部材３５が支持バー１８から外れないようにしてもよい。
【００６５】
（１２）上記実施形態では、支持ブラケット３９が設けられている。しかし、支持ブラケット３９が設けられていなくてもよい。
【００６６】
（１３）上記実施形態では、カバー部材３５のうち左右両側における前記下側部分が夫々支持ブラケット３９に支持されている。しかし、これに代えてあるいはこれと共に、カバー部材３５のうち左右中央部における前記下側部分が支持ブラケット３９に支持されていてもよい。
【００６７】
（１４）上記実施形態では、カバー部材３５は、複数のタイン１９を覆う単一の長尺部材によって構成されている。しかし、カバー部材３５は、二つ以上の部材に左右分割可能に構成されていてもよい。
【産業上の利用可能性】
【００６８】
本発明は、全稈投入型コンバインの他、トウモロコシ収穫機にも利用可能である。
【符号の説明】
【００６９】
３  刈取部
４  掻込リール
１７  リールフレーム
１８  支持バー（支持部材）
３１  内側タイン（タイン）
３１ａ  支持部
３１ｂ  バネ部
３１ｃ  作用部
３２  ボルト
３２ａ  ボルトの頭部
３５  カバー部材
３６  嵌合部
３７  第一カバー部（カバー部）
３７ａ  係合部（第一係合部）
３８  第二カバー部（ボルトの頭部を覆う部分）
３９  支持ブラケット
３９ｂ  押さえ部
３９ｃ  係合部（第二係合部）
Ｘ１  回転軸心
【図１】
2020178601.tif 000003
【図２】
2020178601.tif 000004
【図３】
2020178601.tif 000005
【図４】
2020178601.tif 000006
【図５】
2020178601.tif 000007
【図６】
2020178601.tif 000008
【図７】
2020178601.tif 000009
【図８】
2020178601.tif 000010
【図９】
2020178601.tif 000011